(57)【特許請求の範囲】
【請求項１】
再生使用可能な材質からなり、運搬が可能なようにスコープを収納する内視鏡のキャリングケースにおいて、
上記スコープの収納部が形成された本体と、
この本体に合体する蓋体と、
上記本体と蓋体の合せ面の一方に形成された凹部と、上記合せ面の他方に形成され、上記凹部に係合する凸部とを有し、この凸部の底面部に、該凸部が壊れ易くなるように切込みを形成し、上記本体に上記スコープを収納して上記蓋体を閉じるとき、上記凹部と凸部が係合し、上記蓋体を開けるとき、上記凹部から離れる凸部が破損し、収納ケースとして機能しないようにする破損手段と、を設けたことを特徴とする内視鏡キャリングケース。
【請求項２】
再生使用可能な材質からなり、運搬が可能なようにスコープを収納する内視鏡のキャリングケースにおいて、
上記スコープの収納部が形成された本体と、
この本体に合体する蓋体と、
上記本体と蓋体の合せ面の一方に形成された凹部と、上記合せ面の他方に形成され、上記凹部に係合する凸部とを有し、この凸部が壊れ易くなるように、上記凹部に接着剤を装填し、上記本体に上記スコープを収納して上記蓋体を閉じるとき、上記凹部と凸部が係合し、上記蓋体を開けるとき、上記凹部から離れる凸部が破損し、収納ケースとして機能しないようにする破損手段と、を設けたことを特徴とする内視鏡キャリングケース。
【発明の詳細な説明】
【０００１】
【発明の属する技術分野】
本発明は内視鏡キャリングケース、特に内視鏡の出荷時等において包装手段として用いられるキャリングケースの構造に関する。
【０００２】
【従来の技術】
従来から、工場等からの製品出荷においては、その製品の保護のため内視鏡スコープ等がキャリングケースに収納され包装されることになり、このキャリングケースの一例が図４に示される。
【０００３】
図４において、キャリングケースの本体１及び蓋体２は、再生使用可能な発泡材を材料とし、この本体１にスコープの形状に合わせた収納溝３Ａが形成され、蓋体２にも必要な溝３Ｂが形成される。また、本体１の上面周囲に例えば突起枠４が設けられ、他方の蓋体２にはこの突起枠４に嵌合する段差部５が形成される。
【０００４】
従って、このキャリングケースでは上記本体１の収納溝３Ａにスコープを配置し、上記段差部５と突起枠４の嵌合により上記蓋体２を本体１に取り付けることになる。そして、このキャリングケースは、ダンボール等の外装ケース等に更に入れられ、この状態で出荷される。なお、この場合のキャリングケースは内装ケースとして機能することになる。
【０００５】
【発明が解決しようとする課題】
ところで、従来のキャリングケースは、一旦開封した後にも内視鏡を運搬するための収納ケースとして繰り返して用いられる可能性がある。しかしながら、医療分野では殺菌等の処理が施されていないキャリングケースを再度使用することは、各種感染等を考慮した衛生上の観点から好ましくない。
【０００６】
また、このキャリングケースは容易に破損する発泡材等から形成されており、このケースだけの梱包で運搬すれば、ケースの破壊などにより内部の内視鏡自体が故障あるいは破損する等の問題が生じる。
【０００７】
本発明は上記問題点に鑑みてなされたものであり、その目的は、内視鏡運搬ケースとして再利用することを防止することにより、良好な衛生上状態を確保し、かつ内視鏡の故障、破損をなくすことができる内視鏡キャリングケースを提供することにある。
【０００８】
【課題を解決するための手段】
上記目的を達成するために、請求項１に係る発明は、再生使用可能な材質からなり、運搬が可能なようにスコープを収納する内視鏡のキャリングケースにおいて、上記スコープの収納部が形成された本体と、この本体に合体する蓋体と、上記本体と蓋体の合せ面の一方に形成された凹部と、上記合せ面の他方に形成され、上記凹部に係合する凸部とを有し、この凸部の底面部に、該凸部が壊れ易くなるように切込みを形成し、上記本体に上記スコープを収納して上記蓋体を閉じるとき、上記凹部と凸部が係合し、上記蓋体を開けるとき、上記凹部から離れる凸部が破損し、収納ケースとして機能しないようにする破損手段と、を設けたことを特徴とする。
請求項２に係る発明は、再生使用可能な材質からなり、運搬が可能なようにスコープを収納する内視鏡のキャリングケースにおいて、上記スコープの収納部が形成された本体と、この本体に合体する蓋体と、上記本体と蓋体の合せ面の一方に形成された凹部と、上記合せ面の他方に形成され、上記凹部に係合する凸部とを有し、この凸部が壊れ易くなるように、上記凹部に接着剤を装填し、上記本体に上記スコープを収納して上記蓋体を閉じるとき、上記凹部と凸部が係合し、上記蓋体を開けるとき、上記凹部から離れる凸部が破損し、収納ケースとして機能しないようにする破損手段と、を設けたことを特徴とする。
【０００９】
上記の構成によれば、例えば蓋を本体に位置合わせ(固定)する部分に、破損構造を設ける。これにより、一旦梱包を開いた後は蓋を本体に位置合わせすることができず、運搬ケースとしての使用ができなくなる。
【００１０】
【発明の実施の形態】
図１乃至図３には、実施形態例に係る内視鏡キャリングケースの構成が示されている。図１に示されるように、キャリングケース１０は本体１１と蓋体１２からなり、これらは発泡ポリプロピレン等の再生使用可能な材質で形成される。上記本体１１には、内視鏡スコープや付属部品の形に合った収納溝１３Ａが形成され、また上記蓋体１２にも収納を補助するための溝１３Ｂが形成される。
【００１１】
そして、上記本体１１側に位置合わせのための円錐台形状凹部１５が四隅に形成され、一方の蓋体１２にはこの溝１５に嵌合する円錐台形状凸部１６が同様に四隅に設けられる。
【００１２】
図２には、上記の係合凹部１５と凸部１６の構造(図3のII−II線切断面)が示されており、図示されるように、この凹部１５と凸部１６は、完全な円錐台形ではなく、キャリングケース１０の角部外周側に位置する角部側面Ｓ1,Ｓ2、例えば図２(Ｂ)の凸部１６に示されるように、角部側面Ｓ2を角度α（９０度）の範囲とし、この側面Ｓ2が本体１１の合せ面１１Ｋ、蓋体１２の合せ面１２Ｋのそれぞれに対して垂直となるように、円錐側面の傾斜角度を変化させて形成する。なお、上記の凹部１５及び凸部１６は完全な円柱形状としてもよい。
【００１３】
また、任意事項であるが、当該例では凸部１６側の底面部（合せ面１２Ｋ）に、この凸部１６が容易に壊れるように切込み１８を設けている。これによれば、図２(Ｃ)に示されるように、蓋体１２を本体１１から外そうとするとき、他端側を支点として持ち上げることとなる図の一方端部側では、凸部１６の角部側面Ｓ2（特に先端側）が凹部１５の角部側面S1に圧接され、凸部１６が切込み１８の部分から壊れることになる。
【００１４】
更に、当該例では、図１に示されるように、キャリングケース１０の周囲を縛るバンド部材２０が設けられる。また、このキャリングケース１０においては、その外周に強度を高めるための外装コーティングを施したり、壊れ難い異なる材質の外装ケースを設けて二重構造としてもよい。なお、このバンド部材２０を設けずに、本体１１に蓋体１２を合体させた状態で、図示していないダンボール箱等に収めるようにしてもよい。
【００１５】
実施形態例は以上の構成からなり、このキャリングケース１０の梱包は、図１に示した本体１１の収納溝１３Ａにスコープを収納し、凹部１５に凸部１６を嵌合させながら蓋体１２を閉め、図３に示されるように、バンド部材２０で全体を縛ることにより行われる。もちろん、このバンド部材２０によらず、蓋体１２を取り付けた状態でダンボール箱に入れて梱包してもよい。
【００１６】
その出荷後、このキャリングケース１０を開封すると、図２(Ｃ)に示されるように、四隅の凸部１６が凹部１５により斜め方向の力を受けることになり、切込み１８の部分から凸部１６が壊れることになる。従って、凸部１６の全てが破損するとは限らないが、この後は蓋体１２が本体１１に対して位置合わせして合体することができないことになり、キャリングケース１０の再使用が不可能となる。
【００１７】
なお、上記の凹部１５と凸部１６の構成においては、図２(Ａ)の下側に示されるように、角部側面Ｓ2の位置を角部側面Ｓ1よりも長さＤだけずらしてこれらの結合強度を高め、この凸部１６を更に壊れ易くすることもできる。また、上記凹部１５内に接着剤２１を装填して凸部１６を接着し(切込み１８の有無は任意)、これによって蓋体１２の取外し時の凸部１６の壊れ易さを高めてもよい。
【００１８】
上記例では、破損手段として蓋体１２の位置合わせをする円形台形状の凹部１５及び凸部１６をケース１０の四隅に設けたが、その他の形状及び構成の係合凹部及び凸部の破損手段を設けてもよい。
【００１９】
【発明の効果】
以上説明したように、請求項１の発明によれば、スコープを収納した本体に蓋体を被せるキャリングケースで、本体と蓋体の合せ面の一方に形成された凹部と、合せ面の他方に形成された凸部とを有し、この凸部の底面部に、該凸部が壊れ易くなるように切込みを形成し、本体にスコープを収納して蓋体を閉じるとき、凹部と凸部が係合し、蓋体を開けるとき、凹部から離れる凸部が破損し、収納ケースとして機能しないようにする破損手段を設けたので、また請求項２の発明は、上記凸部が壊れ易くなるように、上記凹部に接着剤を装填することで、一旦開封した後は内視鏡運搬ケースとして再利用することが防止される。この結果、良好な衛生上状態を確保して各種の感染を防ぎ、また内視鏡の破損をなくすことができるという利点がある。
【図面の簡単な説明】
【図１】本発明の実施形態例に係る内視鏡キャリングケースの構成を示す図である。
【図２】実施形態例の係合凸部と凹部の構成を示し、図３のII−II線切断面図である。
【図３】図１のキャリングケースを梱包した状態を示す図である。
【図４】従来のキャリングケースの構成を示す図である。
【符号の説明】
１，１１  …  本体、
２，１２  …  蓋体、
１０  …  キャリングケース、
１５  …  凹部、
１６  …  凸部、
１８  …  切込み、
２１  …  接着剤、
Ｓ1，Ｓ2  …  角部側面。
【図１】
0004190613.tif 000002
【図２】
0004190613.tif 000003
【図３】
0004190613.tif 000004
【図４】
0004190613.tif 000005